(57)【要約】【課題】安価に製造可能で設置スペースをとらず、熟練者以外が心臓マッサージを行うことを容易にする心臓マッサージ用補助具を提供する。【解決手段】人の胸部に乗せるための胸部設置板２に突出部３が突出して設けられている。突出部３は胸部設置板２を人の胸部に乗せたとき胸骨の位置を心臓マッサージに必要な所定の深さだけ押込み可能に所定の長さ突出している。胸部設置板２は１対の側壁部１２を有する。各側壁部１２は開閉方向に柔軟性を有する。各側壁部１２は人の胸壁を挟んで突出部３を胸骨の位置に位置付けるようになっている。【選択図】図１
0003174351.tif 000002
【実用新案登録請求の範囲】
【請求項１】
人の胸部に乗せるための胸部設置板と、
前記胸部設置板を人の胸部に乗せたとき胸骨の位置を心臓マッサージに必要な所定の深さだけ押込み可能に前記胸部設置板に所定の長さ突出して設けられた突出部とを、
有することを特徴とする心臓マッサージ用補助具。
【請求項２】
前記胸部設置板は人の胸壁を挟んで前記突出部を胸骨の位置に位置付けるための１対の側壁部を有することを、
特徴とする請求項１記載の心臓マッサージ用補助具。
【請求項３】
前記胸部設置板は前記突出部を反対側から見通せる透明度を有し、
各側壁部は開閉方向に柔軟性を有し、先端の間隔は通常は３０〜４０ｃｍで、最大に開いた状態で４０〜５０ｃｍとなり、
前記突出部は前記胸部設置板からの突出長さが５〜６ｃｍであり、先端が直径６〜８ｃｍの円形を成していることを、
特徴とする請求項２記載の心臓マッサージ用補助具。
【考案の詳細な説明】
【技術分野】
【０００１】
本考案は、心臓マッサージ用補助具に関する。
【背景技術】
【０００２】
心臓マッサージは、心臓や呼吸が停止した者に対する心肺蘇生法の一つであり、その重要性は言うまでもない。特に、医療現場でない家庭内等の救急現場での心臓マッサージの実施の有無やその有効性が、心肺停止者の生命や予後を大きく左右する。
【０００３】
「２０１０  ＡＨＡ蘇生のガイドライン」では、心臓マッサージの重要性が強調されており、成人の場合、心臓マッサージの回数は１分間に１００回以上で、胸部圧迫の深さは５ｃｍ以上とされている。しかし、この条件を満たしながら用手のみで心臓マッサージを継続するのは、熟練していない者にとってかなり困難である。この負担を軽減するために、ギアや空気圧などを利用した心臓マッサージ装置が開発されている（例えば、特許文献１または２参照）。
【先行技術文献】
【特許文献】
【０００４】
【特許文献１】特開２００９−３９２０８号公報
【特許文献２】特開２００５−２６１８５９号公報
【考案の概要】
【考案が解決しようとする課題】
【０００５】
しかしながら、特許文献１および２に記載の心臓マッサージ装置は、動力により心臓マッサージを行う構造のため、製造コストが高くなり、また、駆動源として圧縮空気や酸素ボンベを必要とするという課題があった。従って、病院や救急車内などの医療施設に設置して使用されるものであって、駆動源の確保や設置スペースを必要とするため、一般家庭などの医療施設以外の場所に設置するのには適さないという課題があった。
【０００６】
本考案は、このような課題に着目してなされたもので、安価に製造可能で設置スペースをとらず、熟練者以外が心臓マッサージを行うことを容易にする心臓マッサージ用補助具を提供することを目的とする。
【課題を解決するための手段】
【０００７】
上記目的を達成するために、本考案に係る心臓マッサージ用補助具は、人の胸部に乗せるための胸部設置板と、前記胸部設置板を人の胸部に乗せたとき胸骨の位置を心臓マッサージに必要な所定の深さだけ押込み可能に前記胸部設置板に所定の長さ突出して設けられた突出部とを、有することを特徴とする。
【０００８】
本考案に係る心臓マッサージ用補助具は、以下のようにして使用される。まず、胸部設置板を心肺停止者などの人の胸部に乗せ、突出部を人の胸骨の位置に配置する。この状態で、胸部設置板の突出部の位置を、突出部の反対側から胸骨に向かって所定の周期で押す。このとき、突出部を突出する所定の長さ分、押し込むようにする。これにより、突出部で心臓マッサージに必要な所定の深さで正確に胸骨を押すことができ、効果的に心臓マッサージを行うことができる。
【０００９】
本考案に係る心臓マッサージ用補助具は、用手による心臓マッサージのように、決められた形に手を組む必要がなく、人の左右どちらからでも、また片手でも心臓マッサージが可能である。このため、心臓マッサージの熟練者以外でも心臓マッサージを行うことが容易である。
【００１０】
本考案に係る心臓マッサージ用補助具は、胸部設置板と突出部とを有する簡単な構造のため、安価に製造可能である。また、全体をコンパクトに製造できるため、設置スペースをとらず、未使用時には、狭いスペースに収納することができる。このため、医療施設だけでなく、一般家庭でも常備可能であり、緊急時に即座に使用して心臓マッサージを容易に行うことができる。
【００１１】
本考案に係る心臓マッサージ用補助具で、前記胸部設置板は人の胸壁を挟んで前記突出部を胸骨の位置に位置付けるための１対の側壁部を有することが好ましい。
この場合、胸部設置板を心肺停止者などの人の胸部に乗せると、各側壁部が胸壁を挟むことにより突出部が人の胸骨の位置に配置される。このため、胸部設置板が左右方向にずれるのを防ぐことができる。
【００１２】
本考案に係る心臓マッサージ用補助具で、前記胸部設置板は前記突出部を反対側から見通せる透明度を有し、各側壁部は開閉方向に柔軟性を有し、先端の間隔は通常は３０〜４０ｃｍで、最大に開いた状態で４０〜５０ｃｍとなり、前記突出部は前記胸部設置板からの突出長さが５〜６ｃｍであり、先端が直径６〜８ｃｍの円形を成していることが好ましい。
【００１３】
この場合、透明な胸部設置板を透して、突出部が胸骨の位置に押し込まれるのを確認しながら、適切な心臓マッサージを行うことができる。各側壁部は開閉方向に柔軟性を有するため、心臓マッサージにより胸部設置板を上下運動させるとき、各側壁部が邪魔にならない。各側壁部の先端の間隔、突出部の突出長さ、突出部先端の直径が前記所定の範囲のとき、成人に対して効果的な心臓マッサージを容易にすることができる。なお、本考案に係る心臓マッサージ用補助具は、子供用の場合、各サイズが子供のサイズに合わせて小さく構成される。また、身体のサイズに合わせて各サイズを調節可能に構成されていてもよい。
【考案の効果】
【００１４】
本考案によれば、安価に製造可能で設置スペースをとらず、熟練者以外が心臓マッサージを行うことを容易にする心臓マッサージ用補助具を提供することができる。
【図面の簡単な説明】
【００１５】
【図１】本考案の実施の形態の心臓マッサージ用補助具を示す（ａ）平面図、（ｂ）左側面図である。
【図２】図１に示す心臓マッサージ用補助具の平面図である。
【考案を実施するための形態】
【００１６】
以下、図面に基づき本考案の実施の形態について説明する。
図１および図２は、本考案の実施の形態の心臓マッサージ用補助具を示している。
図１および図２に示すように、心臓マッサージ用補助具１は、胸部設置板２と突出部３とを有している。
胸部設置板２は、矩形状の中央板１１と、１対の板状の側壁部１２とを有している。中央板１１は、透明なアクリル板から成っている。中央板１１は、人の胸部に乗せる部分である。
【００１７】
各側壁部１２は、柔軟性のある塩化ビニル樹脂板から成っている。各側壁部１２は、それぞれ中央板１１の裏面１１ａの両端に貼り付けられ、中央板１１の両端から外側に湾曲して張り出し、正面１１ｂと反対方向に伸びている。各側壁部１２は、互いに中央板１１から先端２ａ側にかけて次第に離れ、広がっている。各側壁部１２は、開閉方向に柔軟性を有している。各側壁部１２は、中央板１１の幅方向の中心線を通る垂直面に対して面対称に設けられている。各側壁部１２は、先端２ａ側の、胸部設置板２を人の胸部に乗せたとき頭部側に位置する角が切り欠かれている。各側壁部１２は、中央板１１から張り出した先端２ａ側の角が面取りされている。
【００１８】
１対の側壁部１２は、中央板１１を人の胸部に乗せた状態で、心肺停止者などの人の胸壁を柔らかく挟むようになっている。各側壁部１２は、人の胸壁を挟んだとき、人の胸部から胸壁の形状に沿うように湾曲している。各側壁部１２は、好ましくは、先端２ａの間隔は通常は３０〜４０ｃｍ（成人用の一例で３８ｃｍ）で、最大に開いた状態で４０〜５０ｃｍとなる。
【００１９】
突出部３は、塩化ビニル樹脂製で、円柱状を成している。突出部３は、中央板１１の裏面１１ａの中央に一端が固定されている。突出部３は、胸部設置板２を人の胸部に乗せたとき胸骨の位置を心臓マッサージに必要な所定の深さだけ押込み可能に胸部設置板２に所定の長さ突出して設けられている。突出部３は、中央板１１からの突出長さが好ましくは５〜６ｃｍであり、成人用の一例では５．５ｃｍである。突出部３の先端３ａは、平坦で縁部が丸く面取りされている。先端３ａは、直径６〜８ｃｍの円形を成しており、成人用の一例では直径７ｃｍである。各側壁部１２が人の胸壁を挟むよう取り付けられたとき、突出部３は胸骨の位置に位置付けられる。
【００２０】
中央板１１は、突出部３を反対側から見通せる透明度を有している。中央板１１の正面１１ｂには、咄嗟の場合に適切に対応できるよう、使用方法や緊急時の連絡先、メッセージなどが記載されている。
【００２１】
次に、作用について説明する。
心臓マッサージ用補助具１は、以下のようにして使用される。まず、寝かせた状態の、心肺停止者など手当てが必要な人の胸部に胸部設置板２を乗せると、各側壁部１２が胸壁を挟むことにより、中央板１１の中央の突出部３が人の胸骨の位置に配置される。このため、心臓マッサージ中に胸部設置板２が左右方向にずれるのを防ぐことができる。この状態で、中央板１１の突出部３の位置を、突出部３の反対側から胸骨に向かって所定の周期で押す。このとき、突出部３を突出する所定の長さ分、押し込むようにする。これにより、突出部３で心臓マッサージに必要な所定の深さで正確に胸骨を押すことができ、効果的に心臓マッサージを行うことができる。
【００２２】
各側壁部１２は開閉方向に柔軟性を有するため、心臓マッサージにより中央板１１を上下運動させるとき、各側壁部１２が邪魔にならない。各側壁部１２の先端２ａの間隔、突出部３の突出長さ、突出部先端３ａの直径が成人に合わせた所定の範囲にあるため、成人に対して効果的な心臓マッサージを容易にすることができる。用手による心臓マッサージでは、圧迫の深さが認識できず、圧迫するときの力によって圧迫の深さが異なってくるのに対して、心臓マッサージ用補助具１を使用すれば、突出部３の突出長さに合わせて圧迫することにより、一定の最適な深さで心臓マッサージを行うことができる。
【００２３】
また、心臓マッサージ用補助具１を使用した場合、先端３ａにより、圧迫の力を均一に伝えることができる。心臓マッサージ用補助具１によれば、圧迫の深さが突出部３の突出長さを超えることがないため、胸骨や肋骨の骨折の危険性を小さくすることができる。心臓マッサージの際には、透明な中央板１１を透して、突出部３が胸骨の位置に押し込まれるのを確認しながら、適切な心臓マッサージを行うことができる。
【００２４】
心臓マッサージ用補助具１は、用手による心臓マッサージのように、決められた形に手を組む必要がなく、人の左右どちらからでも、また片手でも心臓マッサージが可能である。このため、心臓マッサージの熟練者以外でも心臓マッサージを行うことが容易である。また、咄嗟の場合や、廊下のような狭い場所、ストレッチャーなどで移動させているときであっても、手当てが必要な人に効果的な心臓マッサージを容易に行うことができる。心臓マッサージ用補助具１を使用した場合、疲れにくく、より長時間の心臓マッサージが可能である。
【００２５】
心臓マッサージ用補助具１は、胸部設置板２と突出部３とを有する簡単な構造のため、安価に製造可能である。また、全体をコンパクトに製造できるため、設置スペースをとらず、未使用時には、狭いスペースに収納することができる。このため、医療施設だけでなく、一般家庭でも常備可能であり、緊急時に即座に使用して心臓マッサージを容易に行うことができる。一般家庭に普及させることにより、技術的な補助効果に加え、蘇生に対する意識の改善にもつながるものと期待できる。
【実施例１】
【００２６】
心臓マッサージ用補助具１を、実際の臨床事例で用いた。その結果、心肺停止者の手指に付けた酸素飽和度（Ｓｐｏ２）モニターの値の上昇が観測された。これにより、酸素化の改善が得られたことが確認された。また、心肺停止者の手指に付けた酸素飽和度（Ｓｐｏ２）モニターの波形の増高も観測された。これにより、循環の改善が得られたことも確認された。このことから、心臓マッサージ用補助具１を用いることにより、効果的な心臓マッサージを行うことができることが確認された。
【符号の説明】
【００２７】
１  心臓マッサージ用補助具
２  胸部設置板
３  突出部
１１  中央板
１２  側壁部
【図１】
0003174351.tif 000003
【図２】
0003174351.tif 000004